(57)【要約】【課題】  気体及び固体の珪素化合物とフッ素化合物を含むガスから、フッ素化合物分解触媒を用いて、フッ素化合物を高い分解率で分解除去する。【解決手段】  フッ素化合物と珪素化合物を含む被処理ガスを水またはアルカリ水溶液等で湿式処理して珪素化合物の大部分をＳｉＯ２にして除去する。この際、珪素化合物の一部は水酸化物、或いはその他の形で被処理ガスに同伴して排出されるので、フッ素化合物分解触媒と接触させる前に捕捉材を用いて珪素化合物を除去する。その後、反応塔でフッ素化合物分解触媒を用いてフッ素化合物を分解する。長時間連続運転しても高い分解率が維持できる。【選択図】図２
2006095486.tif 000002
【特許請求の範囲】
【請求項１】
フッ素化合物と珪素化合物を含むガスを水または水溶液と接触させて珪素化合物を固形化して除去する湿式処理工程と、その後、フッ素化合物分解触媒と接触させてフッ素化合物を分解するフッ素化合物分解工程とを有するフッ素化合物含有ガスの処理方法において、前記湿式処理工程での処理を終えたガスに同伴して排出される珪素化合物をガス中から除去する珪素化合物除去工程を含み、前記珪素化合物除去工程での処理を終えたガスを前記フッ素化合物分解工程にて処理するようにしたことを特徴とするフッ素化合物含有ガスの処理方法。
【請求項２】
請求項１において、前記フッ素化合物としてＰＦＣを含むことを特徴とするフッ素化合物含有ガスの処理方法。
【請求項３】
請求項１において、前記珪素化合物除去工程では捕捉材を用いて珪素化合物を除去することを特徴とするフッ素化合物含有ガスの処理方法。
【請求項４】
請求項３において、前記珪素化合物除去工程での処理を加熱下で行うことを特徴とするフッ素化合物含有ガスの処理方法。
【請求項５】
珪素化合物とフッ素化合物を含むガスを水または水溶液と接触させて珪素化合物を固形物にして除去する湿式処理装置と、フッ素化合物を触媒と接触させて分解する触媒式反応装置とを備え、前記湿式処理装置で処理されたガスが前記触媒式反応装置にて処理されるようにしたフッ素化合物含有ガス処理装置において、前記湿式処理装置での処理を終えたガスに同伴する珪素化合物を除去するための珪素化合物除去装置を備え、前記珪素化合物除去装置で処理されたガスが前記触媒式反応装置に導入されるようにしたことを特徴とするフッ素化合物含有ガスの処理装置。
【請求項６】
請求項５において、前記珪素化合物除去装置が珪素化合物を捕捉材によって捕捉除去するものであることを特徴とするフッ素化合物含有ガスの処理装置。
【請求項７】
請求項５において、前記珪素化合物除去装置が加熱下で捕捉材によって珪素化合物を捕捉除去するものであることを特徴とするフッ素化合物含有ガスの処理装置。
【請求項８】
珪素化合物とフッ素化合物を含むガスを水または水溶液と接触させて珪素化合物を固形物にして除去する湿式処理装置と、フッ素化合物を触媒と接触させて分解する触媒式反応装置とを備え、前記湿式処理装置で処理されたガスが前記触媒式反応装置にて処理されるようにしたフッ素化合物含有ガス処理装置において、前記触媒式反応装置の内部に珪素化合物の捕捉材を備え、前記捕捉材を通過したガスが前記触媒に接触するようにしたことを特徴とするフッ素化合物含有ガスの処理装置。
【請求項９】
フッ素化合物を水分の存在下および加熱下で触媒により分解する触媒式反応装置を備え、珪素化合物とフッ素化合物を含むガスを前記触媒式反応装置にて処理するようにしたものにおいて、前記触媒式反応装置の内部に珪素化合物の捕捉材を備え、前記捕捉材を通ったガスが前記触媒に接触するようにしたことを特徴とするフッ素化合物含有ガスの処理装置。
【請求項１０】
請求項５〜９のいずれか１つにおいて、前記触媒式反応装置でフッ素化合物が分解することによって生成されたフッ化水素をガス中から除去する排ガス洗浄装置を備えたことを特徴とするフッ素化合物含有ガスの処理装置。
【発明の詳細な説明】
【技術分野】
【０００１】
本発明は、フッ素化合物と珪素化合物を含むガスを処理するための処理方法と処理装置に関する。
【背景技術】
【０００２】
半導体或いは液晶の製造プロセスでは、エッチング或いはクリーニングを行うにあたり、通常、フッ素化合物ガス、特にＣＦ４，Ｃ２Ｆ６等のパーフルオロコンパウンド(Perfluorocompound、以下ＰＦＣという)を用いる。ＰＦＣは二酸化炭素（ＣＯ２）の数千倍から数万倍の地球温暖化ガスであり、世界温暖化会議(COP3)で排出削減が決定している。このため、エッチング或いはクリーニングに使用され、使用済みになった排ガスは、ＰＦＣを除去或いは分解してから排気することが必要になる。
【０００３】
ＰＦＣを含むガスを処理する方法として、触媒を用いてＰＦＣを分解する方法が知られている(例えば、特許文献１参照)。触媒による処理方法を半導体或いは液晶製造プロセスで使用されたＰＦＣ含有ガスに対して適用する場合、ガス中にはＰＦＣ以外にガス状或いは固形物の珪素化合物が含まれており、これらにより触媒が被毒されることから、この対策も必要になる。特許文献１には、触媒反応器の前に水スクラバを設けて珪素化合物を除去することが記載されている。
【０００４】
【特許文献１】特許第3269456号公報(段落番号0036)
【発明の開示】
【発明が解決しようとする課題】
【０００５】
本発明の目的は、水スクラバのように湿式の処理装置を設けて珪素化合物を事前に除去するようにしたフッ素化合物含有ガス処理方法或いは処理装置において、フッ素化合物の分解率を更に高めることにある。
【課題を解決するための手段】
【０００６】
本発明は、フッ素化合物と珪素化合物を含むガスを湿式処理して珪素化合物を固形化して除去する湿式処理工程と、その後、フッ素化合物分解触媒と接触させてフッ素化合物を分解するフッ素化合物分解工程とを有するフッ素化合物含有ガスの処理方法において、前記湿式処理工程での処理を終えたガスに同伴して排出される珪素化合物をガス中から除去する珪素化合物除去工程を含み、前記珪素化合物除去工程での処理を終えたガスを前記フッ素化合物分解工程にて処理するようにしたことを特徴とするフッ素化合物含有ガスの処理方法にある。
【０００７】
また、珪素化合物とフッ素化合物を含むガスを水または水溶液と接触させて珪素化合物を固形物にして除去する湿式処理装置と、フッ素化合物を触媒と接触させて分解する触媒式反応装置とを備え、前記湿式処理装置で処理されたガスが前記触媒式反応装置で処理されるようにしたフッ素化合物含有ガス処理装置において、前記湿式処理装置での処理を終えたガスに同伴する珪素化合物を除去するための珪素化合物除去装置を備え、前記珪素化合物除去装置で処理されたガスが前記触媒式反応装置で処理されるようにしたことを特徴とするフッ素化合物含有ガス処理装置にある。
【０００８】
更に、珪素化合物とフッ素化合物を含むガスを水または水溶液と接触させて珪素化合物を固形物にして除去する湿式処理装置と、フッ素化合物を触媒と接触させて分解する触媒式反応装置とを備え、前記湿式処理装置で処理されたガスが前記触媒式反応装置にて処理されるようにしたフッ素化合物含有ガス処理装置において、前記触媒式反応装置の内部に珪素化合物の捕捉材を備え、前記捕捉材を通過したガスが前記触媒に接触するようにしたことを特徴とするフッ素化合物含有ガスの処理装置にある。
【発明の効果】
【０００９】
本発明によれば、珪素化合物の除去効果が高められるので、フッ素化合物分解触媒が被毒されにくくなり、フッ素化合物の分解率を高めることができる。
【発明を実施するための最良の形態】
【００１０】
本発明の効果が得られる理由は主に以下によるものと推定される。半導体或いは液晶製造プロセスで使用されたＰＦＣ排ガスには、通常、珪素化合物としてＳｉＦ４が含まれている。ＳｉＦ４は湿式処理工程で水または水溶液と反応して大部分が固形のＳｉＯ２になり沈降分離される。しかし、一部のＳｉＦ４はＳｉＯ２に変換されずにＳｉ（ＯＨ）４或いはＨ２ＳｉＦ６等の形でＰＦＣ含有ガスに同伴して排出される。また、一部の微粒状のＳｉＯ２もミストに同伴してＰＦＣ含有ガスとともに排出される。湿式処理工程の後段に珪素化合物除去工程を設けることにより、ＰＦＣ含有ガスに同伴して排出された珪素化合物が除去されるようになり、触媒の被毒が抑制され、ＰＦＣの分解率が高められる。
【００１１】
珪素化合物除去工程では、捕捉材を用いて珪素化合物を除去することが望ましい。また、加熱下で処理して、Ｓｉ（ＯＨ）４或いはＨ２ＳｉＦ６等の珪素化合物をＳｉＯ２にして除去することが望ましい。珪素化合物を捕捉可能な材料としてはセラミックスがある。特にＳｉＯ２との複合化反応の標準ギブスエネルギが負になる金属酸化物が望ましい。このような金属酸化物としては、アルミナ，ジルコニア，酸化コバルト，酸化鉄，酸化マンガン，酸化ニッケル，酸化亜鉛、酸化ストロンチウム，酸化カルシウム，酸化マグネシウムなどがある。これらのうち、酸化ストロンチウム，酸化カルシウム，酸化マグネシウムなどのアルカリ系酸化物は、被処理ガス中の酸性ガス量が少ない場合に適する。シリカ、コージェライトも極めて好適な捕捉材である。コージェライトの場合、その代表的なものは２ＭｇＯ・２Ａｌ２Ｏ３・５ＳｉＯ２であるが、これに限らず使用できる。
【００１２】
捕捉材の形状は、粒状、押出成型した棒状、ペレット状、ハニカム状などのように種々の形状でよい。しかし、湿式処理後のガスには微粒状の珪素化合物が含まれており、粒状の捕捉材を用いた場合には、捕捉材充填層が目詰まりしやすいという問題がある。したがって、ハニカム状のものが最も好適である。ハニカム構造にした場合には、表面にさらに捕捉材を塗布等により担持して比表面積を高めることが望ましい。ハニカム表面に捕捉材を塗布して使用する場合は、ハニカム自身には珪素化合物捕捉能がないもの、たとえばメタルハニカムを使用することもできるが、できればアルミナ、コージェライトのように珪素化合物捕捉能を有するものを使用する方がよい。なお、メタルハニカムでは、インコネル、ハステロイ等のように耐食性の優れたものを使用するのがよい。本発明では、アルミナまたはコージェライトよりなるハニカムに、シリカ，アルミナおよびジルコニアから選ばれた少なくとも1種を塗布などにより担持したものを捕捉材として推奨する。
【００１３】
珪素化合物除去処理を加熱下で実施する場合の加熱温度としては、次工程のＰＦＣ分解工程が、通常５００〜８５０℃の反応温度で実施されることから、その温度範囲にすることが望ましい。
【００１４】
本発明の処理方法および処理装置は、ＰＦＣの処理に限らず、広くフッ素化合物含有ガスの処理に適用できる。
【００１５】
本発明では、触媒式反応装置の内部に珪素化合物捕捉材を備えることで、触媒式反応装置自身に珪素化合物除去装置としての機能をもたせることができる。また、触媒式反応装置において水分の存在下でフッ素化合物を分解する場合には、反応装置内に珪素化合物捕捉材を備えることで、湿式処理装置を省略することもできる。すなわち、触媒式反応装置内でフッ素化合物含有ガス中のＳｉＦ４を水と反応させＳｉＯ２にして捕捉材に捕捉させ、除去することができる。
【００１６】
図１は、本発明の処理方法の一例を示したシステムフロー図である。本システムは湿式処理工程５０、珪素化合物除去工程６０、フッ素化合物分解工程７０および排ガス洗浄工程８０から構成されている。ＰＦＣ等のフッ素化合物を含むフッ素化合物含有排ガス１００は、まず湿式処理工程５０にて、排ガスに含まれる固体状およびガス状の珪素化合物の大部分がＳｉＯ２に転換され、除去される。フッ素化合物含有排ガス１００には、ＳｉＦ４等の珪素化合物以外にＴｉＯ２或いはＣｕＯ等の固体、ＢＣｌ３，Ｓ２Ｃｌ２，ＳＣｌ２，ＷＦ６，ＣｕＳＯ４等の酸性ガスが含まれているが、これらも湿式処理工程５０で除去される。湿式処理工程５０での処理を終えたガスには、一部の珪素化合物が同伴する。この珪素化合物は主にＳｉ（ＯＨ）４、Ｈ２ＳｉＦ６であり、後述の排ガス洗浄工程８０で回収されたフッ化水素を含む水溶液が湿式処理工程５０での水溶液として使用された場合には、その水溶液とＳｉＦ４とが反応して生成したＨ２ＳｉＦ６も排出される。
【００１７】
湿式処理工程５０での処理を終えたガスは、次いで珪素化合物除去工程６０に導入され、前述の珪素化合物が除去される。その後、フッ素化合物分解工程７０にて加水分解あるいは酸化分解によりフッ素化合物が分解される。加水分解の場合には、反応剤として水蒸気２が添加される。また、加水分解反応により生成する一酸化炭素を酸化するために、酸化剤として空気３または酸素が供給される。分解後のガスにはフッ化水素等の酸性ガスが大量に含まれるので、次に排ガス洗浄工程８０で酸成分を除去する処理を行う。この排ガス洗浄工程８０では水或いはアルカリ水溶液を使用してフッ化水素をガス中から除去する。洗浄処理後のガスは、エジェクタまたはブロア等の排気装置９０を用いて、半導体工場内の排気ダクト等に排気する。
【００１８】
図２に本発明の処理装置の一例を示す。本例では湿式処理装置としてスプレ塔５１を用いている。また、触媒式反応装置として反応塔７１を用い、反応塔の内部に珪素化合物を捕捉可能な捕捉材６２を充填して、反応塔自身を珪素化合物除去装置としても使用している。反応塔内に捕捉材を設けた場合には、スプレ塔５１と反応塔７１の間に珪素化合物除去装置を設置する場合に比べて、捕捉材を通過するガスの線速度が小さくなり、反応が進みやすくなるというメリットもある。スプレ塔５１では、フッ素化合物含有排ガス１００に対して洗浄水５２が噴霧される。洗浄水は水のほか、アルカリ水溶液、アルカリスラリ等でもよい。
【００１９】
反応塔７１は、排ガス流入側に予熱部７２を備え、分解ガスの出口側に冷却室７４を備えている。また、反応塔の周囲にヒータ７３を備えている。さらに捕捉材６２の下部側に触媒７５の充填層を備えている。スプレ塔５１での処理を終えたガスは反応塔７１に入り、予熱部７２で加熱された後、捕捉材６２によって珪素化合物が捕捉除去される。ガスは次いで触媒７５の充填層に入り、フッ素化合物が分解される。フッ素化合物分解ガスを含む排ガスは冷却室７４で所定温度まで下げられた後、排ガス洗浄槽８１へと送られ、フッ化水素、硫黄酸化物、窒素酸化物等の酸成分が除去される。冷却室７４では、ノズル７６により例えば水を噴霧してガス温度を所定温度に下げる。水冷方式あるいはガス冷却方式の一般的な熱交換器を使用してもよい。また分解ガス中に冷却ガスを導入して所定温度に制御してもよい。
【００２０】
排ガス洗浄槽８１には一般的な湿式及び乾式の洗浄槽を使用することができる。湿式では、ベンチュリ式、棚段式、スプレ式等を使用することができる。スプレ式では水またはアルカリ水溶液を使用してノズル８２により噴霧し洗浄する方式のものがよく、高いフッ化水素除去性能を示す。水またはアルカリ水溶液中に分解生成ガスをバブリングする方法あるいは充填塔を用いて洗浄する方法でもよい。乾式では、アルカリ性の固体を用いた固定床、移動床、流動床、バグフィルタ式を使用することができる。乾式の場合には、珪素化合物以外の固体および酸性ガスも除去される。フッ化水素が溶解した排水は排水ポンプ９５を用いて半導体既設のアルカリスクラバー、イオン交換塔等に送られ処理される。
【００２１】
図３は、本発明による処理装置の別の例を示したものである。本例では、スプレ塔５１と反応塔７１との間に加熱ヒータ６３を有する珪素化合物除去装置６１を備えている。また、排ガス洗浄槽としてバグフィルタを使用している。さらに反応塔７１と排ガス洗浄槽８１との間に薬剤投入装置４０が備えている。薬剤投入装置４０では、Ｃａ，Ｋ，Ｎａ，Ｍｇなどのアルカリ金属の水酸化物、炭酸塩、酸化物等よりなる薬剤、一例としてＣａ（ＯＨ）２を使用して、反応塔７１で生成したフッ化水素を中和する。中和された生成物は生成物貯槽へ送られる。
【００２２】
フッ素化合物の分解に使用される触媒は、加水分解用あるいは酸化分解用の触媒であり、例えば、Ａｌと、Ｚｎ，Ｎｉ，Ｔｉ，Ｆｅ，Ｓｎ，Ｃｏ，Ｚｒ，Ｃｅ，Ｓｉ，Ｗ，Ｐｔ，Ｐｄから選ばれた少なくとも１種とを含む触媒である。 触媒成分は酸化物、金属、複合酸化物などの形で含まれる。特にＡｌと、Ｎｉ，Ｚｎ，Ｔｉ，Ｗから選ばれた少なくとも１種との触媒が高いＰＦＣ分解性能を持つので好ましい。ＮｉとＡｌを酸化物の形で含む触媒あるいは、これにさらにＷＯ３を金属として１〜１０重量％、より好ましくは１〜５重量％添加した触媒は、フッ素化合物分解触媒として極めて好ましい。ＮｉとＡｌを含む触媒にはＮｉＯ、ＮｉＡｌ２Ｏ４が含まれる。触媒のＸ線回折分析を行うとＡｌの一部には明確な回折パターンが見られないが、これは結晶性の悪いアモルファス状として含まれるためと思われる。
【００２３】
フッ素化合物の加水分解に際して反応塔に添加される水蒸気の量は、加水分解反応に必要とされる理論水蒸気必要量の２〜５０倍、通常は３〜３０倍が好ましい。これにより、フッ素化合物中のＦはＨＦになり、分解生成物中のＦが後処理しやすいフッ化水素の形態になる。
【００２４】
ＰＦＣは、ハロゲンとしてフッ素のみを含有する化合物であり、一例を示すと、ＣＦ４，ＣＨＦ３，ＣＨ２Ｆ２，ＣＨ３Ｆ，Ｃ２Ｆ６，Ｃ２ＨＦ５，Ｃ２Ｈ２Ｆ４，Ｃ２Ｈ３Ｆ３，Ｃ２Ｈ４Ｆ２，Ｃ２Ｈ５Ｆ，Ｃ３Ｆ８，ＣＨ３ＯＣＦ２ＣＦ３，Ｃ４Ｆ８，Ｃ５Ｆ８，ＳＦ６，ＳＯ２Ｆ２，ＮＦ３等がある。
【００２５】
ＰＦＣの加水分解反応における代表的な反応式を以下に示す。
ＣＦ４＋２Ｈ２Ｏ→ＣＯ２＋４ＨＦ             …（式１）
Ｃ２Ｆ６＋３Ｈ２Ｏ→ＣＯ＋ＣＯ２＋６ＨＦ      …（式２）
ＣＨＦ３＋Ｈ２Ｏ→ＣＯ＋３ＨＦ              …（式３）
ＳＦ６＋３Ｈ２Ｏ→ＳＯ３＋６ＨＦ             …（式４）
（式２）および（式３）の反応ではＣＯが生成するが、反応ガス中に酸素が存在すればＣＯをＣＯ２にすることができる。また、ＣＯ酸化触媒をＰＦＣ分解触媒の後流に設置すれば、反応塔内でＣＯをＣＯ２に酸化できる。
【００２６】
フッ素化合物加水分解の反応温度は５００〜８５０℃が好ましい。ＰＦＣ濃度が高い場合には反応温度を高めにし、ＰＦＣ濃度が１％以下の場合には反応温度を低めにするのがよい。反応温度が８５０℃よりも高くなると触媒が劣化しやすくなり、反応塔材料も腐食しやすくなる。反対に反応温度が５００℃よりも低くなるとＰＦＣの分解率が低下する。
【実施例１】
【００２７】
本実施例では、ＳｉＦ４ガスをＰＦＣガスと共存させてフッ素化合物分解触媒を充填した反応管に流入させ、ＰＦＣの分解率を測定した。試験装置の構成を図４に示す。
【００２８】
ＰＦＣボンベ１１に貯蔵された、不純物としてＳｉＦ４ガスを含むＣＦ４ガスにＮ２を添加して希釈した。この希釈ガスに、さらに空気と水蒸気を添加した。空気はＮ２ガスの約１０ｖｏｌ％となるように添加した。水蒸気は純水を反応管２０の上部へマイクロチューブポンプを用いて供給しガス化させた。反応ガス中のＣＦ４濃度はドライベースで約０．５３ｖｏｌ％であり、ＳｉＦ４濃度はドライベースで０．６２ｖｏｌ％であった。水蒸気量はＣＦ４加水分解反応当量比の１３倍となるように流量を調節した。この反応ガスをフッ素化合物分解触媒２５と空間速度１３００毎時で接触させた。反応管２０は電気炉２１により所定温度に加温した。反応管２０は内径３２ｍｍのインコネル製であり、フッ素化合物分解触媒２５の上部に珪素化合物捕捉材２６を備えている。フッ素化合物分解触媒２５の上部と下部にアルミナウール２７の層を設けた。珪素化合物捕捉材２６には、縦横の寸法が各３２ｍｍ、高さ２５ｍｍの４００セルタイプのコージェライトハニカムを用いた。反応管２０には、外径３ｍｍのインコネル製の熱電対保護管２９を介して熱電対２８を挿入し温度を測定した。フッ素化合物分解触媒により分解されたガスは、一部をガス採取口３０にて採取し、ＣＦ４の分解率を測定した。残りのガスは排ガス処理槽３１で水吸収液中にバブリングさせてから排気した。ＣＦ４の分解率はＴＣＤガスクロマトグラフにより次式で求めた。
分解率（％）＝(１−（出口のフッ素化合物量／供給したフッ素化合物量）)×１００
フッ素化合物分解触媒２５には、ＮｉとＡｌを触媒成分とする触媒を用いた。触媒の調製方法は次の通りである。まず市販のベーマイト粉末を１２０℃で１時間乾燥した。この乾燥粉末２００ｇに、硝酸ニッケル６水和物を２１０．８２ｇ溶かした水溶液を添加して混練した。混練後、２５０〜３００℃で約２時間乾燥し、７５０℃で２時間焼成した。焼成物を粉砕、篩い分けして０．５〜１ｍｍの粒径とし調製を終えた。調製後の触媒の組成はモル比でＮｉ：Ａｌ＝２０：８０であった。また、ＮｉＯとＡｌ２Ｏ３のほかにＮｉとＡｌの複合酸化物を含んでいた。反応ガスを反応管に５時間連続通気した後のＣＦ４分解率は９８．７９％であり、連続試験でも極めて高い分解率を維持した。
【００２９】
比較例として、珪素化合物捕捉材２６を設置しなかった場合のＣＦ４分解率を測定した。このときの反応ガス中のＣＦ４濃度はドライベースで約０．４９ｖｏｌ％であり、ＳｉＦ４濃度はドライベースで０．７９ｖｏｌ％であった。水蒸気量はＣＦ４加水分解反応当量比の１７倍である。５時間連続試験後のＣＦ４分解率は９２．１１％であり、珪素化合物捕捉材を設けた場合に比べて分解率が低下した。なお、ＳｉＦ４を流通させないで、比較例条件でＣＦ４を分解した場合の５時間連続試験後のＣＦ４分解率は９９．９％以上であった。
【実施例２】
【００３０】
本実施例では、コージェライトハニカムにＳｉＯ２をコートした珪素化合物捕捉材を用いた。捕捉材は、ＳｉＯ２ゾルをコージェライトハニカムに浸漬したのち乾燥と焼成を行い、この一連の工程をＳｉＯ２量が所定の量になるまで繰り返すことによって行った。ＳｉＯ２ゾルには住友化学製のものを２倍に希釈して用い、コージェライトハニカムは６００セルのものを用いた。また、コージェライトハニカムは、ＳｉＯ２ゾルに浸漬する前に、予め１２０℃で乾燥し、次いで純水に浸し、余剰の純水をエアーで除去する処理を施した。コージェライトハニカムにＳｉＯ２ゾルを浸漬後の乾燥は１２０℃で１０分間とし、焼成は７５０℃で３０分間とした。ＳｉＯ２の塗布量は２ｇとした。その他の条件は実施例１と同じにした。５時間連続試験後のＣＦ４分解率は９９．３８％であり、きわめて高い分解率を示した。
【実施例３】
【００３１】
本実施例では、図２に示す構成の処理装置を用いて連続試験を行った。ＣＦ４を０．５ｖｏｌ％、ＳＩＦ４を０．３ｖｏｌ％を含み、残部がＮ２の反応ガス２００Ｌ/ｍｉｎをスプレ塔に導入した。スプレ塔では水をフルコーン型ノズル３つとホロコーン型ノズル１つから約２０Ｌ/ｍｉｎで噴霧した。スプレ塔を通過したガスは反応塔に流入させ、２０Ｌ/ｍｉｎの空気と２０ｍｌ/ｍｉｎの純水を添加して予熱部で７５０℃に加熱して触媒層に導入した。触媒には実施例１で使用したものと同じ組成のものを用いた。２０時間ガスを流通させたが、試験中、排ガス洗浄槽を通過したガス中のＣＦ４分解率は９９．２５％であり、連続試験によるＰＦＣ分解性能の低下は認められなかった。
【産業上の利用可能性】
【００３２】
本発明により、半導体あるいは液晶製造プロセスのエッチング工程或いはクリーニング工程で使用された排ガスに含まれるフッ素化合物を高い分解率で処理することが可能になった。
【図面の簡単な説明】
【００３３】
【図１】本発明の処理方法の一例を示すシステムフロー図である。
【図２】本発明の処理装置の一例を示すシステム構成図である。
【図３】本発明による処理装置の他の例を示すシステム構成図である。
【図４】実験に使用した装置の概略図である。
【符号の説明】
【００３４】
２…水蒸気、３…空気、５０…湿式処理工程、５１…スプレ塔、６０…珪素化合物除去工程、６１…珪素化合物除去装置、６２…珪素化合物捕捉材、７０…フッ素化合物分解工程、７５…フッ素化合物分解触媒、８０…排ガス洗浄工程、８１…排ガス洗浄槽、１００…フッ素化合物含有排ガス。
【図１】
2006095486.tif 000003
【図２】
2006095486.tif 000004
【図３】
2006095486.tif 000005
【図４】
2006095486.tif 000006